【手続補正書】
【提出日】平成18年11月14日(2006.11.14)
【手続補正１】
【補正対象書類名】明細書
【補正対象項目名】発明の名称
【補正方法】変更
【補正の内容】
【発明の名称】車間距離電子制御ユニット
【手続補正２】
【補正対象書類名】明細書
【補正対象項目名】特許請求の範囲
【補正方法】変更
【補正の内容】
【特許請求の範囲】
【請求項１】  車両が走行中の周囲状況を認識し、認識結果に応じて、適切な速度および車間距離で走行するように車両を制御する車間距離電子制御ユニットにおいて、
周囲状況の認識状態と、車両走行制御状態を運転者に表示するための制御を行うことを特徴とする車間距離電子制御ユニット。
【請求項２】  前記認識状態または車両走行制御状態を光の点灯状態で表示することを特徴とする請求項１記載の車間距離電子制御ユニット。
【請求項３】  前記周囲状況の認識のために、車両の走行方向の前方車および障害物の有無を検知するレーダからの検知に基づく認識結果を光の点灯状態で表示することを特徴とする請求項１または２記載の車間距離電子制御ユニット。
【請求項４】  前記認識結果に基づく制御か、運転者の操作に従う制御かを、点灯状態の変化で知らせることを特徴とする請求項１〜３のいずれか１つに記載の車間距離電子制御ユニット。
【手続補正３】
【補正対象書類名】明細書
【補正対象項目名】０００１
【補正方法】変更
【補正の内容】
【０００１】
【発明の属する技術分野】
本発明は、レーダや外部からの通信などに基づいて前方車との車間距離を検出し、車間距離を適切に維持するように自動的に加減速する車間距離電子制御ユニットに関する。
【手続補正４】
【補正対象書類名】明細書
【補正対象項目名】０００６
【補正方法】変更
【補正の内容】
【０００６】
本発明の目的は、運転者自身による周囲状況の把握の妨げとならないように、走行制御のための認識状態や制御状態を知らせることができる車間距離電子制御ユニットを提供することである。
【手続補正５】
【補正対象書類名】明細書
【補正対象項目名】０００７
【補正方法】変更
【補正の内容】
【０００７】
【課題を解決するための手段】
本発明は、車両が走行中の周囲状況を認識し、認識結果に応じて、適切な速度および車間距離で走行するように車両を制御する車間距離電子制御ユニットにおいて、
周囲状況の認識状態と、車両走行制御状態を運転者に表示するための制御を行うことを特徴とする車間距離電子制御ユニットである。
【手続補正６】
【補正対象書類名】明細書
【補正対象項目名】０００８
【補正方法】変更
【補正の内容】
【０００８】
本発明に従えば、車間距離電子制御ユニットは、車両が走行中の周囲の状況を認識し、認識結果に応じて適切な速度および車間距離で走行するように車両を制御する。車間距離電子制御ユニットは、周囲状況の認識状態と、車両走行制御状態を運転者に表示するための制御を行う。これによって運転者は、周囲状況の認識状態と、車両走行制御状態とを知ることができるので、車間距離電子制御ユニットの動作状態を容易に把握することができ、運転者は安心して車間距離電子制御ユニットを使用した車両の走行を続けることができる。
【手続補正７】
【補正対象書類名】明細書
【補正対象項目名】０００９
【補正方法】変更
【補正の内容】
【０００９】
また本発明で前記認識状態または車両走行制御状態を光の点灯状態で表示することを特徴とする。
【手続補正８】
【補正対象書類名】明細書
【補正対象項目名】００１０
【補正方法】変更
【補正の内容】
【００１０】
本発明に従えば、光の点灯状態で周囲状況の認識状態または車両走行制御状態が表示されるので、運転者は周囲状況の認識状態または車両走行制御状態を迅速に把握することができる。
【手続補正９】
【補正対象書類名】明細書
【補正対象項目名】００１１
【補正方法】変更
【補正の内容】
【００１１】
また本発明は前記周囲状況の認識のために、車両の走行方向の前方車および障害物の有無を検知するレーダからの検知に基づく認識結果を光の点灯状態で表示することを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
また本発明で前記認識結果に基づく制御か、運転者の操作に従う制御かを、点灯状態の変化で知らせることを特徴とする。
【手続補正１５】
【補正対象書類名】明細書
【補正対象項目名】００１８
【補正方法】変更
【補正の内容】
【００１８】
本発明に従えば、認識結果に基づく制御か、運転者の操作に従う制御かを、点灯状態の変化で知らせるので、運転者は点灯状態の変化から制御が認識結果に基づいているのか、運転者の操作に従って行われているのかを容易に知ることができる。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００４８
【補正方法】変更
【補正の内容】
【００４８】
【発明の効果】
以上のように本発明によれば、車両の運転者は、周囲状況の認識状態と、車両走行状態とを知ることができる。これによって、車両の運転者等は、安心して車間距離電子制御ユニットを使用することができ、車間距離電子制御ユニット自体の誤使用も防止することが可能となる。
【手続補正２５】
【補正対象書類名】明細書
【補正対象項目名】００４９
【補正方法】変更
【補正の内容】
【００４９】
また本発明によれば、周囲状況の認識状態または車両の走行制御の状態は、光の点灯状態で表示されるので、点灯状態の変化に従って周囲状況の認識状態または車両の走行制御状態の変化を容易に把握することができる。
【手続補正２６】
【補正対象書類名】明細書
【補正対象項目名】００５１
【補正方法】削除
【補正の内容】
【手続補正２７】
【補正対象書類名】明細書
【補正対象項目名】００５２
【補正方法】削除
【補正の内容】
【手続補正２８】
【補正対象書類名】明細書
【補正対象項目名】００５３
【補正方法】変更
【補正の内容】
【００５３】
また本発明によれば、点灯状態の変化で、認識結果に基づく制御か、運転者の操作に従う制御かを知らせるので、車両の運転者は走行制御がどのように行われているかを容易に把握することができる。
【手続補正２９】
【補正対象書類名】明細書
【補正対象項目名】００５４
【補正方法】削除
【補正の内容】
【手続補正３０】
【補正対象書類名】明細書
【補正対象項目名】００５５
【補正方法】削除
【補正の内容】
【手続補正３１】
【補正対象書類名】明細書
【補正対象項目名】００５６
【補正方法】削除
【補正の内容】
【手続補正３２】
【補正対象書類名】明細書
【補正対象項目名】００５７
【補正方法】削除
【補正の内容】